(57)【要約】【課題】  肌に有害とされる物質を発生させること無い美容装置を提供する。【解決手段】  高圧電源部１７から高電圧を供給する高圧配線３の先端にカーボン繊維を束ねて電極２を構成する。電極部２を、先端２ａが軟質チューブ４の先端肌当て部４ａより引っ込んで位置するように軟質チューブ４内部に配置する。電極部２は、高圧配線３と軟質チューブ４内部との間に隙間が設けられて配置され、軟質チューブ４の先端肌当て部４ａよりエアーを吹出すようにエアー供給手段に連絡する。軟質チューブ４の先端付近周胴部には、硬質筒状体５が被覆するように設ける。開口している軟質チューブ４の先端肌当て部４ａに、液体含浸部材６を取り付け、顔や腕等の肌に押し当てながらマイナスイオンを照射する。【選択図】図１
2007037969.tif 000002
【特許請求の範囲】
【請求項１】
肌に対して美容の施術を行うための美容装置であって、
柔軟性を有するカーボンファイバーからなる電極と、
上記電極に電圧を印加する電源部と、
上記高分子抵抗体により被覆され、上記電極と電源部とを電気的に接続する導電体と、
上記電極に向けてエアーを吹き付ける送風装置と、
先端部分が肌当部を構成し、上記導電体及び電極を収納し、上記送風装置からのエアーを肌に向けて送出するための軟質中空チューブと、を有し、
上記電極は、上記軟質中空チューブに突き刺さらない柔軟性を有しており、上記電極と上記チューブ先端の肌当部には空隙が設けられており、この空隙内に上記電極が収納されると共に、通気性を有し、かつ、非導電性の含浸部材を保持させて、当該含浸部材に美容に使う溶液を含浸させた状態で上記電極に通電して放電させるように構成されている、
ことを特徴とする美容装置。
【請求項２】
上記高分子抵抗体は、テフロン（登録商標）である、
請求項１記載の美容装置。
【請求項３】
上記軟質チューブは、シリコン製である、
請求項１記載の美容装置。
【請求項４】
上記送風装置は、酸素を優先的に透過させる気体分離膜を通してエアーの供給を行う、
請求項１記載の美容装置。
【発明の詳細な説明】
【技術分野】
【０００１】
本発明は、顔や腕等の肌のしみ、しわの改善等を行なう美容装置に関する。
【背景技術】
【０００２】
近年、顔や腕等のシミ、アザ、にきび等の肌のトラブルを改善するため、マイナスイオンが効果的であることが実証的に知られている。これは、シミ、アザ等の原因の一つである活性酸素をマイナスイオンにより、中和し、除去することができること、また、マイナスイオを噴射することにより、皮膚の細胞膜のＡＴＰアーゼが活性して、細胞膜のＡＴＰ合成機能が高まり、細胞膜のイオン透過性が高まることで、細胞内に残っている余分なナトリウムイオンとカルシュウムイオンが血液中に移動し、細胞内のイオンバランスが整えられ細胞が活性化するためであると考えられている。
そして、これら美肌効果を目的として、マイナスイオンを肌に照射する装置や美容のための装置が種々提案されている。
【０００３】
このような装置の一例として、たとえば、施術部位の皮膚にイオンを導入させるように、イオン導入器の先端処置具の先端に幅広状の処置当接部を設けて、イオン導入する装置が知られている（特許文献１）。
また、別の例として、肌の所望箇所に押し当てられる肌押し当て部と、前記肌押し当て部が押し当てられる又は押し当てられた前記所望箇所にマイナスイオンを含んだイオン風を吹き当てるイオン風吹き当て部とを備え、前記肌押し当て部が、遠赤外線を発するセラミックスが含まれた部材、ゲルマニウムが含まれた部材、又はトルマリンが含まれた部材から成っている美肌装置がある（特許文献２参照）。
【０００４】
【特許文献１】実用新案登録第３０９６２００号公報
【特許文献２】特開２００４−１４８１０７号公報
【発明の開示】
【発明が解決しようとする課題】
【０００５】
しかしながら、従来の電極を直接皮膚に押し当てて使用する従来の美容装置では、通電した時に肌にピッリという痛みを与えてしまい、施術をうけるユーザに苦痛を与えてしまうという問題があった。
また、このような電極を押し当てるやり方は、その電極の当て方や、角度、電圧などを微妙に調整する必要があり、操作性が悪いという問題があった。
【０００６】
また、従来、マイナスイオンを発生させるために、高電圧のマイナス電極より高電圧のプラス電極に対して電子を放電させることでマイナスイオンを発生させるコロナ放電方式が用いられている。しかし、この方式の場合、マイナスイオン以外に、プラスイオンやオゾンと共に肌に有害とされる窒素酸化物が発生してしまい、これらが美容効果を低減させるだけでなく、かえって肌のトラブルを引き起こす原因となってしまうという問題があった。
また、コロナ放電や、イオン出力ダイオードとイオン出力針（純度９９．９９９銀）を用いた装置では、発生するマイナスイオンの量が少なく、美容効果が充分得られないなどの問題があった。
【０００７】
さらに、イオン導入をする際、保湿液、コラーゲン、ビタミンなどを含んだ美容液を肌に塗りながら、イオン風を肌に当てることが必要となる場合がある。このような場合、従来の装置では片手でイオン導入装置をもち、もう一方の手で美容液などを含ませたコットンなどをもって施術を行う必要があったため、美容液を塗る場所にムラができたり、充分に美容液を塗れずに美容効果が出なかったり、操作性が悪く作業の効率が落ちるなどの問題があった。
【０００８】
本発明は、上記課題を解決するためになされたものであって、施術を受ける者にとって無痛で、かつ、より美容効果の高い美容装置を提供することも目的とする。
【課題を解決するための手段】
【０００９】
上記目的を達成するため、本発明の美容装置は、肌に対して美容の施術を行うための美容装置であって、柔軟性を有するカーボンファイバーからなる電極と、上記電極に電圧を印加する電源部と、上記高分子抵抗体により被覆され、上記電極と電源部とを電気的に接続する導電体と、上記電極に向けてエアーを吹き付ける送風装置と、先端部分が肌当部を構成し、上記導電体及び電極を収納し、上記送風装置からのエアーを肌に向けて送出するための軟質中空チューブと、を有し、上記電極は、上記軟質中空チューブに突き刺さらない柔軟性を有しており、上記電極と上記チューブ先端の肌当部には空隙が設けられており、この空隙内に上記電極が収納されると共に、通気性を有し、かつ、非導電性の含浸部材を保持させて、当該含浸部材に美容に使う溶液を含浸させた状態で上記電極に通電して放電させるように構成されていることを特徴とする。
【００１０】
上記高分子抵抗体は、テフロン（登録商標）としてもよい。
また、上記軟質チューブは、シリコン製であってもよい。
また、上記送風装置は、酸素を優先的に透過させる気体分離膜を通してエアーの供給を行うようにしてもよい。
【発明の効果】
【００１１】
本発明によれば、肌に直接電極を当てることがないので、施術を受ける者に痛みなどの苦痛を与えることがない。しかも、より多くのマイナスイオンを発生させることができる美容効果を高めることができる。さらに、プラスイオンやオゾンは勿論のこと、肌に有害とされる窒素酸化物を発生させることを抑制することができるので美容効果を阻害することを防止できる。
【発明を実施するための最良の形態】
【００１２】
以下、本発明の一実施形態にかかる美容装置本体１０について、図１〜図３を参照して説明する。
図１は、本実施形態に係るイオンプローブの断面図である。図２は、本実施形態に係る美容装置の構造を説明する平面図である。また、図３は、本実施形態に係る美容装置の配線図である。
【００１３】
まず、図２及び図３を参照して美容装置本体の構成について説明する。
図２及び図３において、本実施形態のプローブ１を具備した美容装置本体１０は、電源スイッチＳと、バキュームボタンＶと、マイナスイオン噴射スタートボタン１２と、マイナスイオン噴射時間設定タイマー１３と、マイナスイオン噴射時間設定タイマー作動表示ランプ１４と、マイナスイオン噴射エアー調整ツマミ１５と、マイナスイオン高圧電源１７と、マイナスイオン電磁弁１８と、エアー吸引口２０と、吸引電磁弁２１と、噴出し電磁弁２２と、オゾンプローブ９を具備するオゾン噴射ノズル９１と、オゾン噴射スタートボタン９２と、オゾン噴射時間設定タイマー９３と、オゾン噴射時間設定タイマー作動表示ランプ９４と、オゾン噴射エアー調整ツマミ９５と、オゾン量調整ツマミ９６と、オゾン電磁弁９８とを有している。
【００１４】
電源スイッチＳは、美容装置本体１０の主電源スイッチであり、この電源スイッチＳをオンすると外部交流電源と電気的に接続され、各部へ通電できる状態となる。
バキュームボタン９１は、バキューム動作を制御するためのボタンである。このバキュームボタン９１により、吸引電磁弁２１が通電制御され、オゾンプローブ９から吸引動作を開始及び停止を制御できるようになっている。
オゾンプローブ９は、オゾンを噴射する噴射口であり、その先端部には先端尖形状の耐酸性・体薬品性カプセルが取り付けられている。このように先端尖形状となっていることで、スポット的に肌のしみの部分などにスポット的にオゾンを噴射できるようになっている。
【００１５】
マイナスイオン側の軟性チューブ４は、その先端にマイナスイオンプローブ１が取り付けられており、このプローブ１に対してエアーを送り込むためのチューブである。このチューブ４は、シリコンなどにより構成することができる。なお、この軟性チューブ４の先端は、電極２よりも先端に突出することで、電極部２と軟性チューブ４の先端との間には空隙が設けられており、この空隙に綿などの通気性を有し、かつ、非導電性の含浸部材を保持して、当該綿に美容に使う溶液を含浸させた状態で電極から放電させるようになっている。
動作ボタン１２は、マイナスイオン高圧電源１７及びマイナスイオン電磁弁１８への通電を制御することで、プローブ１からマイナスイオンを噴射、停止の操作を行うためのボタンである。
マイナスイオン噴射時間設定タイマー１３は、マイナスイオンを噴射させる時間を設定するためのタイマーである。このマイナスイオン噴射時間設定タイマー１３は、設定された時間だけマイナスイオン高圧電源１７及びマイナスイオン電磁弁１８への通電をおこない、設定時間になるとこれらへの通電を遮断することで、マイナスイオンの噴射を停止するようになっている。
【００１６】
マイナスイオン噴射時間設定タイマー作動表示ランプ１４は、ＬＥＤにより構成され、動作ボタン１２がオンされて噴射状態となると通電されて緑色に点灯し、動作ボタン１２がオフ又はタイマーの設定時間になると通電が遮断されて消燈するようになっている。
マイナスイオン調整ツマミ１５は、噴射されるマイナスイオンの量を調整するためのツマミである。このマイナスイオン調整ツマミ１５は、スライダックを構成し、交流電源からマイナスイオン高圧電源１７へ供給される電圧を調整することで、噴射されるマイナスイオンの量を調整することができるようになっている。
【００１７】
マイナスイオン高圧電源１７は、電極部２に対して高電圧を供給するものである。本例では、このマイナスイオン高圧電源１７により、最大６．２Ｋｖの電圧を供給することができるようになっている。
マイナスイオン電磁弁１８は、マイナスイオン噴射スタートボタン１２の操作により通電制御されて弁の開閉を行うことにより、ポンプから供給されたエアーを軟性チューブ４に供給を制御する電磁弁である。
【００１８】
エアー吸引口２０は、噴射するエアーの吸引口である。このエアー吸引口２０には、気体分離膜８が取り付けられている。この気体分離膜８としては、たとえば松下電器社製の酸素富化膜８（ＰａｎａＯ２ ）を用いることができ、これにより吸引されるエアーのゴミや塵などを分離できるだけでなく、エアー中の窒素を約１０％程度少なくすることができる。これにより、マイナスイオンを生成する際に窒素酸化物が生成されることを抑えることができる。
【００１９】
吸引電磁弁２１は、バキュームボタン９１の操作により吸引弁の開閉がされるように構成されていおり、これによりポンプにより吸引動作が制御されるようになっている。
噴出し電磁弁２２は、マイナスイオンプローブ１から噴射するエアーを制御するための弁である。
【００２０】
オゾンプローブ９は、オゾンを噴射する噴射口である。このオゾンプローブ９は、シリコンなどの軟性部材により構成されており、オゾンプローブ９の噴射口を自在に操ることができるようになっている。
オゾン噴射スタートボタン９２は、オゾン電源及びオゾン電磁弁９８への通電を制御することにより、オゾンの噴射を開始させるためのボタンである。
オゾン噴射時間設定タイマー９３は、オゾンの噴射している時間を設定するタイマーであり、設定された時間になるとオゾン電源への通電を遮断してオゾンの噴射を停止できるようになっている。
【００２１】
オゾン噴射時間設定タイマー作動表示ランプ９４は、ＬＥＤにより構成され、オゾン噴射時間設定タイマー９３がオンとなることにより、通電され緑色に点灯し、設定された時間になると通電が遮断され消灯するように構成されている。
オゾン噴射エアー調整ツマミ９５は、オゾンを噴射する際のエアーの量を調整するためのものである。このオゾン噴射エアー調整ツマミ９５は、スライダックにより構成され、電磁弁９８に供給する電圧を制御することで、時計方向にツマミを回すと勢いが弱まって噴射されるオゾン量も少なくなり、ツマミをいっぱいに回すと、オゾン噴射は止まるようになっている。
【００２２】
オゾン量調整ツマミ９６は、オゾンの生成量（濃度）を調整するためのものである。このオゾン量調整ツマミ９６はスライダックを構成し、オゾン電源へ供給する電圧を調整することでオゾンの濃度を調整することができる。この例では、時計方向にオゾン量調整ツマミ９６を回すとオゾンの濃度が高くなり、最大で１０ｐｐｍのオゾン濃度まで噴射できるようになっている。
オゾン電磁弁９８は、オゾン噴射スタートボタン９２の操作によりオゾン噴射時間設定タイマー９３で設定された時間だけ弁を開いてオゾンを供給する電磁弁である。
【００２３】
次に、図１を参照してマイナスイオン噴射用のプローブ１の詳細について説明する。
図１に示すように、本実施形態のプローブ１は、高電圧が印加されることによりマイナスイオンを発生する電極部２と、電極部２とマイナスイオン高圧電源部１７（図３に示す）とを電気的に接続する高圧配線３と、電極部２及び高圧配線３を内部に配置する中空のシリコン製の軟質チューブ４を有している。
この高圧配線３は、テフロン（登録商標）などの高分子抵抗体により被覆されており、これにより高圧配線３の途中から放電することを防止している。
また、軟質チューブ４の先端付近周胴部は、アルミニウム製パイプからなる硬質筒状体５に挿通されて保護されており、この硬質筒状体５が操作を行う人のも持ち手を構成する。
【００２４】
電極部２には、高圧配線３が接続されている。この電極部２は負荷抵抗体としてのカーボン繊維を複数本束ねることにより構成されている。
この電極部２は、柔軟性を有しており、軟質チューブ４に当たっても軟質チューブ４に突き刺さらない柔軟性を有している。
この電極部２は、その先端２ａが、軟質チューブ４先端の肌当て部４ａより引っ込んで構成され、電極部２ａの先端部から軟質チューブ４の先端肌当て部４ａまでの間に空隙が形成されている。そして、この空隙部分にコラーゲンなどの美容液等を含浸させたコットンなどの液体含浸部材６を保持できるように構成されている。
さらに、電極部２は、高圧配線３と軟質チューブ４内部との間に綿花よりなる通気性を有する隙間部材７が配置され、軟質チューブ４内周部と電極部２の支持部との間に隙間が設けられている。これにより、送風されたエアーがこの隙間部材７を通過しＴ、電極部２に吹き付けることができるように構成されている。
また、この高圧配線３は、高抵抗の導電体から構成される。この高圧配線３は、デルリン（登録商標）、テフロン（登録商標）等により被覆されており、これにより途中で放電することを防止できるようになっている。
なお、電極部２より高圧配線３の方が抵抗率が高くなるように構成されており、これによって、電極部２に高電圧が印加され放電されるように構成される。
【００２５】
また、軟質チューブ４の基端部は、先端肌当て部４ａよりエアーを吹き出すようにポンプに連絡されている（図示せず）。このエアーは、酸素を優先的に透過させる気体分離膜、たとえば松下電器社製の酸素富化膜８（ＰａｎａＯ２ ）を通して供給されるようになっている。
【００２６】
次に、本実施形態にかかる美容装置を使用して、マイナスイオンを肌に照射する場合の操作方法について説明する。
１）まずはじめに、電源スイッチＳを押して電源を投入する。これにより内部に設けられたポンプが作動する。
２）次に、マイナスイオン噴射時間設定タイマー１３のダイヤルを回すことにより、マイナスイオン噴射時間を設定する。
３）チューブ４の先端４ａを顔に当て、マイナスイオン噴射スタートボタン１２を押す。これによりマイナスイオン照射機能が作動し、設定時間だけ通電極部２に通電されて動作する。
４）この際、マイナスイオン噴射エアー調整ツマミ１５を操作することで、噴出し電磁弁２２が開閉操作され、プローブ１のチューブ４の先端４ａから噴出す空気量を調整することが出来る。
５）さらに、バキュームボタンＶを押すと吸引機能が動作する。この吸引機能は、マイナスイオンの照射や、オゾンの噴射といったそれぞれの機能が停止している場合にのみ使用可能となる。そして、バキューム装置は、オゾン照射装置９のチューブと兼用となっている。
６）なお、オゾンを噴射する場合は、オゾン噴射時間設定タイマー９３のダイヤルを回すことにより、当該機能を使用する時間を設定し、オゾン照射装置９のチューブの先端を肌に当て、オゾン噴射スタートボタン９２を押す。そうするとオゾンを噴射する機能が作動し、設定された時間になるとその機能が停止する。
【００２７】
マイナスイオン発生器の回路図としては、図６に示すように、発振回路３０８が出力する信号は、圧電トランス３０５の共振周波数（長さ方向の寸法で決まる）例えば７５ＫＨｚの近傍（±５ＫＨｚ）とし、この信号を電界効果型トランジスタからなるトランス駆動回路３０９に入力して圧電トランス３０５を駆動するための交流電圧を出力させる。
【００２８】
圧電トランス３０５は、高効率のトランスであり、その構造の一例としては、薄い長方板体形状の圧電セラミックスにおける長さ方向の半分の対向面に入力電極を形成し、この入力電極の反対側の端面に出力電極を形成した形状からなる。この入力電極にトランス駆動回路３０９からの共振周波数近傍の交流電圧が印加されると、圧電逆効果により圧電体全体が機械的に振動し、そしてこの機械的振動が圧電効果により出力電極にさらに高電圧となって出力されるものである。
【００２９】
そして、圧電トランス３０５の出力電極からの高電圧出力は、整流回路３１０が整流して−１．０〜−６．０ＫＶの範囲の負極性高電圧とする。この負極性高電圧が、電極に印加されその先端から電子放射することでマイナスイオン
を発生させるものであり、その発生量を１０００〜２００００００個／ｃｃの範囲内で自在に設定することができる。
【００３０】
このマイナスイオンの発生量を制御するのが、発振周波数調整手段３１１であり、具体的には発振回路３０８の発振周波数調整用の端子に設けられた可変抵抗器（例えば１０５ＫΩ±５ＫΩ）である。この抵抗値を変化させることで、発振回路３０８のタイマーＩＣが出力する信号の周波数は７５ＫＨｚ±５ＫＨｚの範囲で変化する。そして、圧電トランス５を駆動する交流電圧を７５ＫＨｚ±５ＫＨｚの範囲で変化させることで、圧電トランス３０５からの高電圧出力をその共振周波数からの変位に応じて大きく変化させ、これによりマイナスイオン
の発生量を１０００〜２００００００個／ｃｃと大きく可変することができるようになっている。
【００３１】
この放電の様子を図５に模式的に示す。図５に示すように、ポンプからエアーが供給されるとそのエアーの中には大気中に浮遊しているプラスに帯電した水分子が含まれている。これが電極部２のところまで供給されると、電極部２の先端からプラスに帯電している水分子に対して放電され、この水分子はマイナスの電荷を帯びることになる。また、含浸部材６に美容液が含まれていることから、電極部２からこの含浸部材６に対しても放電され、含浸部材６に含まれている美容液がマイナスの電荷を帯びる。
そして、これらのマイナスの電荷を帯びた水や美容液は、ポンプから供給されたエアーにより、含浸部材６を透過して軟性チューブ４の先端から皮膚に向けて放出されることとなる。
【００３２】
そして、一例として、電極部２の先端から放射されたマイナスイオンの量を測定した。その結果、本実施形態のプローブ１の電極部２からは２００万個／ｃｃ以上のマイナスイオンが計測された。
なお、使用した測定装置は、神戸電波株式会社製のイオンシステム測定器（ＭＯＤＥＬ  ＫＳＴ−９００）であり、測定条件は、以下のとおりである。
【００３３】
測定イオン：正負イオン、異動度０．４ｃｍ２／Ｖ・ｓｅｃ以上
空間電荷密度：全イオン数の正イオン数と負イオン数の差
測定環境：一般大気中からイオン発生による高濃度環境
測定範囲：５〜９９９９００（個／ｃｃ）
サンプリング流量：６０  ｌ／ｍｉｎ
【００３４】
このように、高圧配線３を電極部２よりも高抵抗な材料で構成し、これに高電圧を印加するようにしたことから、電極部２から電子が押し出されるようになり、より多くのマイナスイオンを発生させることができる。これにより、大量に発生したマイナスイオンが、皮膚表面の活性酸素や有毒なプラスに帯電した物質を中和したり、取り除くことができるため、皮膚への刺激が現状し、皮膚の炎症を抑えることができる。また、皮膚の細胞を活性化することでき、これによっても美容液の吸収などが促進され、美容効果が増進されることとなる。また、含浸部材６の美容液がイオン化された状態で皮膚に吹き付けられることになり、美容液の皮膚への吸収を促進させることができる。
【００３５】
また、この電極部２に向けてエアーを吹き込むことにより、チューブ４の先端部からイオン化されたエアーを連続して放出することができる。また、電極部２とチューブ４の先端部４ａとの間に空隙を設け、この空隙に美容液などの液体を含浸させることができる綿などの含浸部材６を保持できるように構成したことから、肌に美容液などピンポイントで、かつ、効率良く塗りながらイオンエアーを照射することができるし、この含浸部材６が非導電性の物質であるから、直接肌に放電されないため、施術を受けるユーザに痛みや違和感を与えることなく、美容効果を高めることができる。
さらに、上述の放電方式よれば、プラスに帯電した水分子に対して放電することから、コロナ放電によるプラスイオンやオゾンが発生を抑えることができ、不用意にオゾンや窒素酸化物が照射されることがなくなり、マイナスイオンによる美容効果を阻害したり、副作用を発生させることがなくなる。
【００３６】
また、ポンプの吸引口に酸素を優先的に透過させる気体分離膜を通してエアーの供給を行うようにしたことから、エアーの窒素含有量を低減させることができ、窒素酸化物の発生を防止することができるし、塵、埃、細菌、ウィルスなどをカットしたクリーンなエアーを供給することができる。
【００３７】
チューブ４をシリコンにより構成したことから、チューブ４に柔軟性を持たせることができ、イオンエアーの照射部分を自由に替えることができるし、また肌触りもよく施術を受ける者に違和感を与えることがない。
【００３８】
さらに、本発明では、軟質チューブ４先端付近の周胴部に、硬質筒状体５を取り付けたことから、軟質なチューブが途中で折れること無く、扱い易いものとすることができる。
【００３９】
そして、本発明は、上述した何れかのマイナスイオン照射装置だけでなく、当該マイナスイオン照射装置とオゾンを発生させるオゾン発生装置とを組合せた美容装置としたり、当該マイナスイオン照射装置とプラスイオンを発生させるプラスイオン照射装置とを組合せた美容装置としたりしても良い。
【００４０】
これにより、マイナスイオンだけでなく、マイナスイオンとオゾン、またはマイナスイオンとプラスイオンを併用した美肌効果を奏することも出来る。
【００４１】
なお、本実施の形態においては、マイナスイオン照射装置、及び当該マイナスイオン照射装置とオゾン噴射装置を具備する美容装置について説明したが、本発明はこれに限定されることなく、たとえば当該マイナスイオン照射装置とプラスイオン装置を具備する美容装置とすることも出来るものである。
【図面の簡単な説明】
【００４２】
【図１】本実施形態に係るイオンプローブの断面図。
【図２】本実施形態に係る美容装置の構造を説明する平面図。
【図３】本実施形態に係る美容装置の配線図。
【図４】本実施形態に係る美容装置のエアーの流れを説明する概略図。
【図５】実施形態に係る電極からの放電の様子を模式的に示した図。
【図６】本実施形態に係るマイナスイオン発生装置の回路図。
【符号の説明】
【００４３】
Ｓ・・・電源スイッチ、Ｖ・・・バキュームボタン、１・・・マイナスイオン照射装置、２・・・電極部、３・・・高圧配線、４・・・軟質チューブ、４ａ・・・先端肌当て部、５・・・硬質筒状体、６・・・液体含浸部材、７・・・隙間部材、８・・・気体分離膜（酸素富化膜）、９・・・オゾンプローブ、１０・・・美容装置、１２・・・マイナスイオン噴射スタートボタン、１３・・・マイナスイオン噴射時間設定タイマー、１４・・・マイナスイオン噴射時間設定タイマー作動表示ランプ、１５・・・マイナスイオン噴射エアー調整ツマミ、２０・・・エアー吸引口、９２・・・オゾン噴射スタートボタン、９３・・・オゾン噴射時間設定タイマー、９４・・・オゾン噴射時間設定タイマー作動表示ランプ、９５・・・オゾン噴射エアー調整ツマミ、９６・・・オゾン量調整ツマミ。
【図１】
2007037969.tif 000003
【図２】
2007037969.tif 000004
【図３】
2007037969.tif 000005
【図４】
2007037969.tif 000006
【図５】
2007037969.tif 000007
【図６】
2007037969.tif 000008